【手続補正書】
【提出日】平成16年1月6日(2004.1.6)
【手続補正１】
【補正対象書類名】明細書
【補正対象項目名】特許請求の範囲
【補正方法】変更
【補正の内容】
【特許請求の範囲】
【請求項１】
反射型面放電のプラズマディスプレイパネルにおいて、
前面基板と、
前記前面基板に配置され、可視光透過率の高い透明電極と低抵抗の母電極とで構成される維持電極とを備え、
前記基板の維持電極を構成する前記透明電極と前記母電極を所定の間隔をもって平行に分離して配置するとともに、分離された前記透明電極と前記母電極とを接続する複数の短絡電極により構成され、維持放電時に、面放電を前記透明電極で終了させ、前記母電極上まで面放電が広がらないように制御することを特徴とするプラズマディスプレイパネル。
【請求項２】
前記短絡電極は、前記維持電極に直交する方向に配置された背面基板のリブに重なるように配置されることを特徴とする請求項１記載のプラズマディスプレイパネル。
【請求項３】
前記前面基板の維持電極における前記短絡電極の幅が、前記リブの幅以下であることを特徴とする請求項２記載のプラズマディスプレイパネル。
【請求項４】
前記前面基板の維持電極対を形成するＸ電極、Ｙ電極の配列順序を、１ライン毎に交互に入れ替わるようにしたことを特徴とする請求項１記載のプラズマディスプレイパネル。
【請求項５】
前記前面基板の維持電極対の内、書き込み期間においてスキャン用電極として使用しない電極において、維持電極対２ラインに対し、母電極を１本にしたことを特徴とする請求項４記載のプラズマディスプレイパネル。
【請求項６】
前記前面基板の維持電極は、前記短絡電極の延長線上の前記透明電極に切り欠き部分もしくは穴を形成されたことを特徴とする請求項１記載のプラズマディスプレイパネル。
【手続補正２】
【補正対象書類名】明細書
【補正対象項目名】００１２
【補正方法】変更
【補正の内容】
【００１２】
【課題を解決するための手段】
この発明に係るプラズマディスプレイパネルは、前面基板と、前記前面基板に配置され、可視光透過率の高い透明電極と低抵抗の母電極とで構成される維持電極とを備え、前記基板の維持電極を構成する前記透明電極と前記母電極を所定の間隔をもって平行に分離して配置するとともに、分離された前記透明電極と前記母電極とを接続する複数の短絡電極により構成され、維持放電時に、面放電を前記透明電極で終了させ、前記母電極上まで面放電が広がらないように制御するものである。
このような構成により、放電は透明電極のみに限定され、母電極まで達することがないため、母電極においては放電電力を消費することが無くまた、母電極によって遮蔽される光の割合が減少する。また、透明電極と母電極の間に無電極部分が存在するため、放電が透明電極のエリア内で終了し、母電極まで達することはない。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、前記短絡電極が、前記維持電極に直交する方向に配置された背面基板のリブに重なるように配置されるものである。
このような構成により、短絡電極上に放電空間が存在しないため、放電が透明電極から母電極へ短絡電極を伝って広がることはない。


【手続補正５】
【補正対象書類名】明細書
【補正対象項目名】００１５
【補正方法】変更
【補正の内容】
【００１５】
また、前記前面基板の維持電極における前記短絡電極の幅が、前記リブの幅以下であるものである。
このような構成により、短絡電極が放電空間にはみ出ることはないので、透明電極で発生した放電が短絡電極を伝わって、母電極に達するのを防止することができる。


【手続補正６】
【補正対象書類名】明細書
【補正対象項目名】００１６
【補正方法】変更
【補正の内容】
【００１６】
また、前記前面基板の維持電極対を形成するＸ電極、Ｙ電極の配列順序を、１ライン毎に交互に入れ替わるようにしたものである。
このような構成により、ラインとラインとの間のギャップに対して電位差が生じないので、ライン間での放電が発生することはない。


【手続補正７】
【補正対象書類名】明細書
【補正対象項目名】００１７
【補正方法】変更
【補正の内容】
【００１７】
また、前記前面基板の維持電極対の内、書き込み期間においてスキャン用電極として使用しない電極において、維持電極対２ラインに対し、母電極を１本にしたものである。
このような構成により、ライン間ギャップは、スキャン用電極として使用する電極においてしか存在しないため、母電極と透明電極の間隔を広くすることができる。


【手続補正８】
【補正対象書類名】明細書
【補正対象項目名】００１８
【補正方法】変更
【補正の内容】
【００１８】
また、前記前面基板の維持電極が、前記短絡電極の延長線上の前記透明電極に切り欠き部分もしくは穴を形成されたものである。
このような構成により、前面基板と背面基板のアラインメントがずれて、短絡電極が放電空間にはみ出した場合でも、透明電極上の切り欠き部分もしくは穴によって、母電極までの放電経路が長くなるため、放電が透明電極から短絡電極を伝って母電極まで広がることはない。


【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００５３
【補正方法】変更
【補正の内容】
【００５３】
この発明のプラズマディスプレイパネルによれば、透明電極と母電極を一定間隔を以て分離して配置することによって、放電が透明電極のみに限定され、母電極まで広がらないため、母電極によって放電電力が消費されず、また、母電極によって遮蔽される光の割合が減少するので、光の利用効率が向上し、発光効率を向上させることができる。また、透明電極と母電極の短絡電極が、背面基板のリブと重なるように配置されているため、透明電極で発生した放電が、短絡電極を通して母電極まで広がることがなく、このため、母電極では放電電力が消費されない。
【手続補正１２】
【補正対象書類名】明細書
【補正対象項目名】００５４
【補正方法】削除
【補正の内容】
【手続補正１３】
【補正対象書類名】明細書
【補正対象項目名】００５５
【補正方法】変更
【補正の内容】
【００５５】
また、短絡電極が、維持電極に直交する方向に配置された背面基板のリブに重なるように配置されるので、短絡電極上に放電空間が存在しないため、放電が透明電極から母電極へ短絡電極を伝って広がることを防止できる。


【手続補正１４】
【補正対象書類名】明細書
【補正対象項目名】００５６
【補正方法】変更
【補正の内容】
【００５６】
また、前面基板の維持電極における短絡電極の幅がリブの幅以下であるため、短絡電極が放電空間にはみ出ることはなく、透明電極で発生した放電が短絡電極を伝わって、母電極に達するのを防止することができる。


【手続補正１５】
【補正対象書類名】明細書
【補正対象項目名】００５７
【補正方法】変更
【補正の内容】
【００５７】
また、前面基板の維持電極対を形成するＸ電極、Ｙ電極の配列順序を、１ライン毎に交互に入れ替わるようにしたので、ラインとラインのギャップに対して電位差が生じず、ライン間での放電が生じないため、ラインピッチの小さい高精細画面においても、透明電極と母電極の間の距離を広くすることができ、従って、容易に放電を透明電極のみに制御することができる。


【手続補正１６】
【補正対象書類名】明細書
【補正対象項目名】００５８
【補正方法】変更
【補正の内容】
【００５８】
また、前面基板の維持電極対の内、書き込み期間においてスキャン用電極として使用しない電極において、維持電極対２ラインに対し、母電極を１本にしたので、ライン間ギャップは、スキャン用電極として使用する電極においてしか存在しないため、母電極と透明電極の間隔を広くすることができ、従って、一層容易に放電を透明電極のみに制御することができる。


【手続補正１７】
【補正対象書類名】明細書
【補正対象項目名】００５９
【補正方法】変更
【補正の内容】
【００５９】
また、前面基板の維持電極において、短絡部の延長線上の透明電極に切り欠き部分もしくは穴を形成した構造においては、前面基板と背面基板のアラインメントがずれて短絡電極が放電空間にはみ出しても、透明電極上の切り欠き部分もしくは穴によって、母電極までの放電経路が長くなり、放電が透明電極から短絡電極を伝って母電極まで広がり難くなるため、放電を透明電極のみに制御することができる。


【手続補正１８】
【補正対象書類名】明細書
【補正対象項目名】００６０
【補正方法】変更
【補正の内容】
【００６０】
また、前面基板の維持電極において、母電極上の誘電体層を透明電極上の誘電体層よりも厚くしたので、透明電極上よりも母電極上の放電が起こり難いため、放電を透明電極のみに制御することができる。


【手続補正１９】
【補正対象書類名】明細書
【補正対象項目名】００６１
【補正方法】変更
【補正の内容】
【００６１】
また、前面基板の維持電極において、母電極上に、放電開始電圧を低下させる皮膜を設けないようにしたので、透明電極上よりも母電極上の二次電子放出係数が低く、放電開始電圧が高いため、放電を透明電極のみに制御することができる。